(57)【要約】【課題】  携帯端末をはじめとする各種電子機器のアンテナ構造は、改善の余地がある。【解決手段】一つの態様に係る電子機器は、少なくとも第１導電部および第２導電部を接続した接続導電部と、接続導電部と接続しない、通信を行う第３導電部と、を有し、第２導電部は、めっき、蒸着および印刷のいずれかによって形成された導電部であり、第２導電部は、第３導電部から離れる方向に延在する、電子機器。【選択図】図２
2019041350.tif 000002
【特許請求の範囲】
【請求項１】
少なくとも第１導電部および第２導電部を接続した接続導電部と、
前記接続導電部と接続しない、通信を行う第３導電部と、を有し、
前記第２導電部は、めっき、蒸着および印刷のいずれかによって形成された導電部であり、前記第２導電部は、前記第３導電部から離れる方向に延在する、
電子機器。
【請求項２】
前記接続導電部は、前記第３導電部の共振周波数とは異なる共振周波数を有する、
請求項１に記載の電子機器。
【請求項３】
前記第２導電部および前記第３導電部は、同じ手段で形成される、
請求項１または２に記載の電子機器。
【請求項４】
第１面および前記第１面とは反対側の第２面を有する筐体部品を更に有し、
前記第２導電部および前記第３導電部は、前記筐体部品の前記第１面に設けられる、
請求項１乃至３のいずれかに記載の電子機器。
【請求項５】
前記第２面の側に設けられ、前記接続導電部に含まれる第４導電部を更に有し、
前記第４導電部は、前記第３導電部から離れる方向に延在する、
請求項４に記載の電子機器。
【請求項６】
前記第２導電部は、前記第１導電部と接続された側とは反対側の端部を有し、
前記第１面のうち、前記第２導電部の前記端部の前後は平坦である、
請求項１乃至５のいずれかに記載の電子機器。
【請求項７】
少なくとも第１導電部および第２導電部を接続した接続導電部と、
前記接続導電部と接続しない、通信を行う第３導電部と、を有する電子機器の製造方法であって、
前記第２導電部は、めっき、蒸着および印刷のいずれかによって形成された導電部であり、
前記第３導電部が通信を行う周波数帯に含まれない共振周波数を、前記接続導電部が有するように、前記第２導電部の長さを調整する、
電子機器の製造方法。
【発明の詳細な説明】
【技術分野】
【０００１】
本開示は、電子機器および電子機器の製造方法に関するものである。
【背景技術】
【０００２】
電子機器の一種として携帯端末が挙げられる。携帯端末において、防水性能を確保しつつ受信性能をもたせるためのアンテナの構造が特開２０１４−８２６８３号公報（特許文献１）に記載されている。
【先行技術文献】
【特許文献】
【０００３】
【特許文献１】特開２０１４−８２６８３号公報
【発明の概要】
【発明が解決しようとする課題】
【０００４】
携帯端末をはじめとする各種電子機器のアンテナ構造は、改善の余地がある。
【課題を解決するための手段】
【０００５】
一つの態様に係る電子機器は、少なくとも第１導電部および第２導電部を接続した接続導電部と、接続導電部と接続しない、通信を行う第３導電部と、を有し、第２導電部は、めっき、蒸着および印刷のいずれかによって形成された導電部であり、前記第２導電部は、前記第３導電部から離れる方向に延在する。
【０００６】
一つの態様に係る電子機器の製造方法は、少なくとも第１導電部および第２導電部を接続した接続導電部と、接続導電部と接続しない、通信を行う第３導電部と、を有する電子機器の製造方法であって、第２導電部は、めっき、蒸着および印刷のいずれかによって形成された導電部であり、第３導電部が通信を行う周波数帯に含まれない共振周波数を、接続導電部が有するように、第２導電部の長さを調整する。
【発明の効果】
【０００７】
本開示によれば、電子機器のアンテナ性能を高めることができる。
【図面の簡単な説明】
【０００８】
【図１】本開示に基づく一実施形態における電子機器の斜視図である。
【図２】本開示に基づく一実施形態における電子機器を構成する第２筐体部品の第１面の部分拡大図である。
【図３】本開示に基づく一実施形態における電子機器を構成する第２筐体部品の第２面の部分拡大図である。
【図４】本開示に基づく一実施形態における電子機器を構成する第２筐体部品の分解図である。
【図５】本開示に基づく一実施形態における導電部の構成を示す図である。
【発明を実施するための形態】
【０００９】
本開示に係る電子機器及び製造方法を実施するための複数の実施形態を、図面を参照しつつ詳細に説明する。
【００１０】
図１〜５を参照して、本開示に基づく一実施形態における電子機器について説明する。以下では、本開示に係る電子機器の一例として、折り畳み式の携帯端末１００について説明する。なお、電子機器は携帯端末１には限られず、様々な種類の電子機器を含む。例えばスマートフォン、タブレット端末、デジタルカメラ、ノートＰＣ、ＰＤＡ、ゲーム機、音楽プレイヤー、他の電子機器を遠隔操作するリモコン端末など、各種の電子機器とすることができる。
【００１１】
図１は、一実施形態における携帯端末１００の外観である。携帯端末１００は、第１筐体２００および第２筐体３００を含む。図１において、携帯端末１００が折り畳まれている。折り畳まれた状態で、第１筐体２００および第２筐体３００は、Ｚ方向において重なる。また、折り畳まれた状態で、第２筐体３００は、第１筐体２００のＺ方向に位置する。
【００１２】
外観視において、第１筐体２００は第１筐体部品２１０を含む。第１筐体２００は、内部に多数の電子部品等を収容する。第１筐体２００は更に他の部品を含んでいてもよい。例えば第１筐体２００は、携帯端末１００を開いたとき露出するディスプレイを含んでもよい。ディスプレイは種々の情報を表示する。ユーザはディスプレイの表示に基づいて携帯端末１００の状態を確認することができる。例えばディスプレイは液晶ディスプレイ、有機ＥＬ（Ｅｌｅｃｔｒｏ  Ｌｕｍｉｎｅｓｃｅｎｃｅ）ディスプレイ、ポリマーネットワーク液晶ディスプレイおよび電子ペーパーのいずれかであってもよい。
【００１３】
第１筐体部品２１０は、携帯端末１００を折り畳んだ状態において、外側に露出する。
外側とは、第２筐体３００とは反対側である。第１筐体部品２１０は樹脂で構成されている。第１筐体部品２１０は樹脂以外の材料（金属、セラミック等）であってもよいし、複数の材料を組み合わせてもよい。また、第１筐体部品２１０は、複数の部品の組み合わせであってもよい。
【００１４】
外観視において、第２筐体３００は第２筐体部品３１０、バッテリリッド３２０を含む。第２筐体３００は、内部に多数の電子部品等を収容する。第２筐体３００は更に他の部品を含んでいてもよい。例えばユーザの各種操作を受け付けるボタンを含んでいてもよい。ボタンはタスクスイッチまたはメンブレンスイッチ等を使った物理キーであってもよいし、静電容量方式または感圧方式等により入力を検出するソフトキーであってもよい。ボタンは携帯端末１００を折り畳んだとき、第１筐体２００に対向する側に位置してもよい。
【００１５】
第２筐体部品３１０は、他の部品と接合し、第２筐体３００を構成する。第２筐体部品３１０は、携帯端末１００を折り畳んだ状態において、外側に露出する。外側とは、第１筐体２００とは反対側である。第２筐体部品３１０は樹脂で構成されている。なお、第２筐体部品３１０は樹脂以外の材料（金属、セラミック等）であってもよいし、複数の材料を組み合わせてもよい。また、第２筐体部品３１０は、複数の部品の組み合わせであってもよい。第２筐体部品３１０は樹脂以外の材料（金属、セラミック等）であってもよいし、複数の材料を組み合わせてもよい。また、第２筐体部品３１０は、複数の部品の組み合わせた部品でもよい。第２筐体部品３１０は、長手方向および短手方向を有する板状である。図１において、長手方向および短手方向はそれぞれＹ方向、Ｘ方向である。第２筐体部品３１０は、後述する第１面３１１および第１面３１１とは反対側の第２面３１２を有する。
【００１６】
バッテリリッド３２０は、第２筐体部品３１０の第１面３１１を覆うよう取り付けられる。また、バッテリリッド３２０は第１面３１１の収容室内に配置されたバッテリを覆う。第１面３１１とは、携帯端末１００を折り畳んだとき、第１筐体２００とは反対側に位置する面である。また、第１面３１１は、第２筐体３００の外側に向く面である。
【００１７】
図２は、第２筐体部品３１０の第１面３１１の一部を拡大した図である。図２の第１面３１１の一部は、バッテリリッド３２０を外したとき、露出する。第１面３１１は、第１導電部４０１の一部、第２導電部４０２、第３導電部４０３を含む。
【００１８】
第１導電部４０１は、導電性を有する材料（例えば金属、導電性樹脂等）を含む部品である。一実施形態における第１導電部４０１はバッテリを充電する充電用の接触端子である。第１導電部４０１は、バッテリリッド３２０を取り付けた状態で、バッテリリッド３２０に設けられた開口３２１から携帯端末１００の外側に露出する。第１導電部４０１は、開口３２１を通じて外部の充電器と接触可能である。第１導電部４０１は、携帯端末１００の開発を行うとき、第３導電部４０３の近傍に配置される可能性がある。
【００１９】
第２導電部４０２は、第１面３１１に対して設けられた金属膜である。一実施形態における第２導電部４０２は、ＬＤＳ（Ｌａｓｅｒ  Ｄｉｒｅｃｔ  Ｓｔｒｕｃｔｕｒｉｎｇ）により第１面３１１に対して設けられる。ＬＤＳは、所望の領域にレーザ光を照射し、めっき処理を行うことによって、レーザ光を照射した領域に金属膜を形成することができる。第２導電部４０２は、ＬＤＳ以外の種々の手段により構成されてもよい。例えば、第２導電部４０２は、めっきアンテナ、蒸着アンテナおよび印刷アンテナ等のいずれかであってもよい。第２導電部４０２は導電性のテープ等でもよい。
【００２０】
第３導電部４０３は第１面３１１に対して設けられた金属膜である。第３導電部４０３は、第２導電部４０２と同一の手段により第１面３１１に対して設けられてもよい。第２導電部４０２および第３導電部４０３を設ける手段は、めっき処理（例えばＬＤＳ）、蒸着処理、印刷処理等のいずれかであってもよい。第２導電部４０２および第３導電部４０３は、第２筐体部品３１０の同じ面（第１面）に対して、同じ手段で形成されてもよい。同じ面に対して、同じ手段で第２導電部４０２および第３導電部４０３を形成する場合、製造コストは下がる。第３導電部４０３は、例えば１９５０〜２１５５ＭＨｚの周波数帯を用いた通信を行うことが可能なアンテナである。第３導電部４０３は他の周波数帯を用いた通信が可能であってもよい。これ以降、第３導電部４０３が通信に使用する周波数帯を通信周波数帯と呼称する。
【００２１】
図３は、第２筐体部品３１０の第２面３１２の一部を拡大した図である。第２面３１２とは、第２筐体３００の内側に位置する面である。第２面３１２は第４導電部４０４を含む。
【００２２】
第４導電部４０４は、導電性を有する材料（例えば金属、導電性樹脂等）を含む部品である。一実施形態における第４導電部４０４は板金であってもよい。第４導電部４０４は板金ではなく、めっき処理（例えばＬＤＳ）、蒸着処理、印刷処理等のいずれかの手段によって設けられてもよい。
【００２３】
第３導電部４０３の近傍に導体がある場合、通信の際に、当該導体が共振する可能性がある。当該共振の共振周波数が通信周波数帯の中にあるとき、第３導電部４０３のアンテナとしての性能は低下する。したがって通信周波数帯において発生する共振は、携帯端末１０１の機能を果たす上での、不要共振である。導体の電気長を変更したとき、共振する周波数の変化が起きる。当該変化を利用により、不要共振は通信周波数帯の外に移動可能である。
【００２４】
第１導電部４０１は、第３導電部４０３の近傍に配置される可能性がある。したがって第１導電部４０１は、通信周波数帯における不要共振を発生する可能性がある。一実施形態における第１導電部４０１は充電用の接触端子である。充電用の接触端子は、充電器の端子と接触しても破損しにくい強度を有する金属部品が用いられることがある。一実施形態において、第２筐体部品３１０の設計は、金属部品を組み込み可能に行われる。設計した第２筐体部品３１０を作製するために、当該第２筐体部品３１０の形状に対応した金型が用意される。上述のように第１導電部４０１の電気長を変更することで、不要共振は通信周波数帯の外に移動可能である。しかし、第１導電部４０１の形状および大きさの少なくとも一方を変更する場合、新たな金型が必要である。したがって大きな開発コストが必要となる。
【００２５】
第１導電部４０１の電気長を変更するために、第１導電部４０１に対して、別の導体が電気的に接続されてもよい。一実施形態において、第１導電部４０１は、第２導電部４０２および第４導電部４０４に電気的に接続される。
【００２６】
図４は第１導電部４０１および第２導電部４０２の分解図である。第１導電部４０１は、接合部材４０５により第２筐体部品３１０の第１面３１１のうち、第２導電部４０２の一部に重なるように接合される。第１導電部４０１および第２導電部４０２は電気的に接続されてもよい。接合部材４０５は例えば導電性の両面テープである。接合部材４０５が導電性を有する場合、第１導電部４０１および第２導電部４０２は、接合部材４０５を挟んで電気的に接続する。接合部材４０５は、接着剤であってもよい。または第１導電部４０１および第２導電部４０２が直接、電気的に接続してもよい。第１導電部４０１および第２導電部４０２が直接接続するとき、接合部材４０５は導電性を有しなくてもよい。
【００２７】
接合部材４０５は、第１導電部４０１および第２導電部４０２の接合部分から水が浸入する可能性を低減する。第２導電部４０２は第２筐体部品３１０より平坦な表面を有してもよい。平坦な表面において接合部材４０５が接合する場合、凹凸のある粗い面において接合部材４０５が接合する場合よりも、水が浸入する可能性を大きく低減する。
【００２８】
第４導電部４０４および第１導電部４０１は、ネジ等の手段で電気的に接続されてもよい。または第４導電部４０４および第１導電部４０１は、導電性の両面テープまたはバネによる押圧によって電気的に接続されてもよい。第１導電部４０１が、第２導電部４０２および第４導電部４０４の少なくとも一方と、電気的に接続したものを、以降の説明において、接続導電部４００と呼称する。なお接続導電部４００は、第１導電部４０１、第２導電部４０２および第４導電部４０４の他に、更に導電性の接合部材４０５を含んでもよい。
【００２９】
一実施形態における接続導電部４００は、第２導電部４０２を含む。第２導電部４０２は、めっき処理（例えばＬＤＳ）、蒸着処理、印刷処理等のいずれかの手段で形成される。これらの手段で形成された第２導電部４０２は、電気長の変更にあたって新たな金型を作製する必要がない。したがって接続導電部４００は、第１導電部４０１と比較して電気長の変更が容易である。
【００３０】
図５は、接続導電部４００の構成を示す図である。図５では、第２筐体部品３１０の一部を透過している。
【００３１】
また一実施形態における第４導電部４０４は、板金により構成される。板金を用いる場合、安価に接続導電部４００の長い電気長を確保できる。
【００３２】
第２導電部４０２の一部は、第３導電部４０３から離れる方向へ延在してもよい。図２および図５に記載されているように、一実施形態における第２導電部４０２は、第３導電部４０３から離れる方向に延在する。離れる方向とは、第２筐体部品３１０の第１面３１１における長手方向である。図５において、長手方向はＹ方向である。第２導電部４０２が第３導電部４０３になるべく接近しないことによって、不要共振が第３導電部４０３での通信に影響を与えにくい。したがって第３導電部４０３のアンテナとしての性能が低下する可能性を低減する。
【００３３】
第４導電部４０４は、第３導電部４０３から離れる方向へ延在してもよい。図３に記載のように、一実施形態における第４導電部４０４は、第３導電部４０３から離れる方向へ延在する。第４導電部４０４が第３導電部４０３になるべく接近しないことによって、不要共振が第３導電部４０３での通信に影響を与えにくい。
【００３４】
図２および図５に記載されているように、第２導電部４０２の一部は、第２筐体部品３１０の第１面３１１において短手方向に延在する。短手方向は、図２および図５におけるＸ方向である。短手方向に延在する一部は、第１導電部４０１に接続する側とは反対側に設けられる。第１導電部４０１に接続される側とは反対側は、接続導電部４００の電気長の調整のため、長さが調整される調整部分である。第２筐体部品３１０の第１面３１１のうち、調整部分の端部の前後の領域は平坦に構成されてもよい。なお調整部分の端部とは、第１導電部４０１とは反対側の、第２導電部の端である。終端の前後とは、終端から第２筐体部品３１０の第１面３１１における短手方向の所定の距離の範囲である。調整部分が設けられる領域が平坦であることにより、例えばＬＤＳの処理を行うとき、レーザを精密に照射できる。レーザを精密に照射可能であることで、調整部分の長さが精密に調整可能である。なお平坦とはリブ等の凹凸がなければよく、平面であってもよいし、曲面ではあってもよい。
【００３５】
一実施形態において、第１導電部４０１は充電用の接触端子であった。しかしながら、第１導電部４０１は、その他の導電性を有する部品であってもよい。例えば第１導電部４０１は、携帯端末１００を折り畳み可能にするためのヒンジであってもよい。また第１導電部４０１は、第２筐体部品３１０に対してバッテリリッド３２０を取り付け可能にするネジであってもよい。第１導電部４０１は、携帯端末１００の外観を装飾する部品であってもよい。
【００３６】
一実施形態において、第１導電部４０１、第２導電部４０２および第３導電部４０３は単一の第２筐体部品３１０に備えられる例を説明した。しかしながら第１導電部４０１、第２導電部４０２および第３導電部４０３はそれぞれ別の部品に設けられてもよい。例えば第２導電部４０２は、バッテリリッド３２０に位置してもよい。第３導電部４０３は、第２筐体部品３１０と接合し、第２筐体３００を成す別の部品に設けられてもよい。
【００３７】
本明細書に開示した実施形態によれば、通信用のアンテナの近傍に導体があっても、通信用のアンテナの性能が低下しにくい。また通信用のアンテナの性能を維持しやすいため、電子機器の小型化が容易になる。
【００３８】
本明細書では、添付の請求項に係る技術を完全かつ明瞭に開示するために種々の実施形態に関し記載してきた。しかし、添付の請求項は、上記の実施形態に限定されるべきものでない。本明細書に示した構成は、適宜他の実施形態と組み合わせて具現化されてもよい。また、本明細書に示した基礎的事項の範囲内で当該技術分野の当業者が創作しうるすべての変形例及び代替可能な構成により具現化されてもよい。
【符号の説明】
【００３９】
１００  携帯端末
２００  第１筐体
２１０  第１筐体部品
３００  第２筐体
３１０  第２筐体部品
３１１  第１面
３２０  バッテリリッド
３２１  開口
４００  接続導電部
４０１  第１導電部
４０２  第２導電部
４０３  第３導電部
４０４  第４導電部
４０５  接合部材
【図１】
2019041350.tif 000003
【図２】
2019041350.tif 000004
【図３】
2019041350.tif 000005
【図４】
2019041350.tif 000006
【図５】
2019041350.tif 000007